(57)【要約】【課題】筆記体の交換が簡単にでき、出没作動がスムーズなスライド式の多芯筆記具を提供する。【解決手段】前軸と後軸を着脱自在に装着した軸筒本体内に複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸内に、各筆記体に対応して区画した区画部材を、弾性体により、軸筒先端側に付勢し、且つ前軸により前記後軸後端側に押圧して、摺動自在に配設してあることを特徴とする。【選択図】          図３
2011011511.tif 000002
【特許請求の範囲】
【請求項１】
前軸と後軸を着脱自在に装着した軸筒本体内に複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸内に、各筆記体に対応して区画した区画部材を、弾性体により、軸筒先端側に付勢し、且つ前軸により前記後軸後端側に押圧して、摺動自在に配設してあることを特徴とするスライド式の多芯筆記具。
【請求項２】
前記区画部材の先端面が、前記前軸を取り外した状態で、前記後軸の先端面と面一又は前記後軸の先端面よりも前方に位置することを特徴とする請求項１に記載のスライド式の多芯筆記具。
【請求項３】
前記区画部材が、該区画部材に設けた当接部と、後軸内に設けた被当接部により、後軸の先端側への移動を規制してあることを特徴とする請求項１または２に記載のスライド式の多芯筆記具。
【発明の詳細な説明】
【技術分野】
【０００１】
本発明は、軸筒内に複数の筆記体を配設したスライド式の多芯筆記具に関する。
【背景技術】
【０００２】
従来から、スライド式の多芯筆記具として、例えば、図１から図２に示すように、一方の摺動体６の隆起部６ａを前軸２の先端開口部２ａ方向にスライドすることにより、摺動体６の後端部に形成した係止部６ｂを軸筒に形成した止め部３ａに係止して、筆記体１１の筆記先端部１２を先端開口部２ａから突出した状態を維持し、他方の摺動体７の隆起部７ａを前軸２の先端開口部２ａ方向にスライドせしめることで、他方の摺動体７の解除突起７ｃが一方の摺動体６に当接するとともに、止め部３ａに係止していた一方の摺動体６の係止部６ｂを係脱させ、一方の筆記先端部１２を先端開口部２ａより没入させ、さらに他方の摺動体７を前進することにより他方の係止部７ｂが止め部３ａに係止して筆記体１３の筆記先端部１４の突出状態を維持する、筆記先端部を選択して出没可能な出没機構を有する、ボールペンレフィル等、複数の筆記体を軸筒内に収容した構造のスライド式の多芯筆記具は良く知られている。
【０００３】
こうしたスライド式の多芯筆記具は、各筆記体を摺動体と連動可能、且つ筆記体の摺動をスムーズに行うため、摺動体と筆記体を着脱自在に連接している。そのため、筆記体を交換するには、前軸を取り外して、筆記体を摺動体から取り外し、摺動体と新たな筆記体を係合する必要があるが、摺動体及び筆記体は、軸筒本体の軸心からずれた位置であるために対応する摺動体に筆記体を合わせて連接することは、非常に困難であった。
【０００４】
こうした問題を鑑みて、特開２００８−３６９１９号公報「多芯筆記具」では、後軸内に、各筆記体に対応して複数の孔によって区画した区画部材（詰め栓）を固着し、この区画部材のガイド孔を連通して筆記体を配設することで、筆記体と摺動体を係合し易くすることが開示されているが、筆記体の出没作動を考慮して、区画部材は後軸の先端面から離間した位置に配設してあり、筆記体の交換性において満足のいくものではなかった。
【０００５】
ところで、スライド式の多芯筆記具は、摺動体を前進することで、筆記体を軸筒の先端開口部から突出することができるが、各筆記体は、前述の通り、軸筒の軸心から偏心した位置に配設しているために、特許第３４２９７１７号「ボールペン体を含む多芯筆記具」に開示しているように、筆記体の筆記先端部は、軸筒先端部の内壁に当接して、軸筒の先端開口部方向へ移動する。
【先行技術文献】
【特許文献】
【０００６】
【特許文献１】「特開２００８−３６９１９号公報」
【特許文献２】「特許第３４２９７１７号公報」
【発明の概要】
【発明が解決しようとする課題】
【０００７】
そのため、筆記体の交換性を考慮して、単に区画部を軸筒の先端側に移動すると、区画部から突出する筆記体の軸方向の長さが短くなり、軸筒先端部の内壁に当接して、筆記体の筆記先端部を軸筒の先端開口部方向へ移動する距離も短くなり、急激に軸筒の先端開口部方向へ矯正されるため、スムーズな出没作動ができない恐れがある。
【０００８】
本発明の目的は、上述した従来の問題点等に鑑み、筆記体の交換が簡単にでき、出没作動がスムーズなスライド式の多芯筆記具を提供することである。
【課題を解決するための手段】
【０００９】
本発明は、前軸と後軸を着脱自在に装着した軸筒本体内に複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸内に、各筆記体に対応して区画した区画部材を、弾性体により、軸筒先端側に付勢し、且つ前軸により前記後軸後端側に押圧して、摺動自在に配設してあることを特徴とする。
【００１０】
また、前記区画部材の先端面が、前記前軸を取り外した状態で、前記後軸の先端面と面一又は前記後軸の先端面よりも前方に位置することを特徴とする。
【００１１】
また、前記区画部材が、該区画部材に設けた当接部と、後軸内に設けた被当接部により、後軸の先端側への移動を規制してあることを特徴とする。
【００１２】
本願発明の構成によれば、各筆記体に対応して区画した区画部材を、弾性体により、軸筒先端側に付勢して摺動自在に配設してあるため、前軸を取り外して筆記体を交換する時に、区画部材は、弾性体により後軸の先端側へ移動するため、区画部材に筆記体を挿入し易く、前記後軸の先端面を上向きにしても弾性体に後軸先端面側に付勢してあるので、後軸後端側に移動することがなく、交換作業を容易にすることが可能になる。また、前軸と後軸を装着すると、前軸が区画部材を押圧し、区画部材を後軸内に押圧して潜り込ませるので、区画部材から突出する筆記体の軸方向の長さ（図２のＬ）を短くすることなく、筆記体を配設できるので、スムーズな出没作動を得ることができる。
【００１３】
また、前軸を取り外した時、前記区画部材の先端面が、前記後軸の先端面と面一、より好ましくは、前記後軸の先端面よりも前方に位置することにより、交換作業を一層、容易にすることができる。
【００１４】
さらに、前記区画部材が、該区画部材に設けた当接部と、後軸内に設けた被当接部により、後軸の先端側への移動を規制することによって、交換時に、区画部材が後軸から落下することがないので好ましい。
【発明の効果】
【００１５】
本発明は、筆記体の交換が簡単にでき、出没作動がスムーズなスライド式の多芯筆記具を提供することができた。
【図面の簡単な説明】
【００１６】
【図１】実施例１におけるスライド式の多芯筆記具を示す縦断面図である。
【図２】図１における一方の筆記体の筆記先端部が突出した状態を示す図である。
【図３】図１における前軸を取り外した状態を示す図である。
【図４】区画部材の拡大断面図である。
【発明を実施するための形態】
【００１７】
以下、図面を参照して本発明の実施例を説明する。尚、図面中同じ部材、同じ部品については同じ番号を付してある。
【実施例１】
【００１８】
図１から図４に示すように、実施例１のスライド式の多芯筆記具１は、前軸２の後端に後軸３を螺着し、軸筒本体を構成し、この軸筒本体内に色の異なるインキ（図示せず）をインキ収容管に収容したボールペンレフィルである筆記体１１、１３を収納してある。
【００１９】
また、後軸３には軸心方向に沿って延びる、外方に開口した摺動溝４、５を形成してあり、この摺動溝４、５に、インキ色と同色の摺動体６、７を摺動可能に配設する。摺動体６、７には隆起部６ａ、７ａが設けてあり、この隆起部６ａ、７ａを、摺動溝４、５から後軸３の外周面より突出した状態で、区画部材８の後部に配設した弾発部材９、１０により後方に付勢させて配設してある。
【００２０】
一方の筆記体１１を使用するには、選択した一方の摺動体６の隆起部６ａを前軸２の先端開口部２ａ方向に前進せしめることで、摺動体６に形成した係止部６ｂが後軸３の内部に形成した止め部３ａに係止して、筒状体を前進せしめ、筆記体１１の筆記先端部１２を、前軸２の先端開口部２ａから選択して突出することができる。この時、筆記先端部１２は、前軸２の内壁に当接して、前軸２の先端開口部２ａ方向へ移動して突出する。
【００２１】
また、筆記体１１の筆記先端部１２を突出した状態で維持している状態で、他方の摺動体７の隆起部７ａを前軸２の先端開口部２ａ方向に前進せしめることにより、他方の解除突起７ｃによって、止め部３ａに係止している一方の係止部６ｂを解除して、摺動体６に連接した筆記体１１の筆記先端部１２を前軸２内に没入することができる。
【００２２】
後軸３内には、各筆記体１１、１３に対応して区画した貫通孔８ａ、８ｂを有する区画部材８を、弾発部材９、１０を弾性体として、前軸２側に付勢して摺動自在に配設してある。前軸２と後軸３を螺合すると、区画部材８は、前軸２の後端面２ｂにより後軸３の後端側に押圧され、弾性体９、１０の付勢力に抗して後軸３内に押し込まれた状態で配設する。また、前軸２を後軸３から取り外すと、区画部材８は弾性体９、１０により前軸２側に移動（図３の矢印Ｆ方向）し、区画部材８に設けた当接凸部８ｃと、後軸３内に設けた被当接凸部３ｂにより、後軸３の先端側からの脱落を防止してある。
【００２３】
筆記体を交換するには、先ず、前軸２を後軸３から取り外し、所望する筆記体、例えば筆記体１１を摺動体６から取り外す。その後、新たな筆記体（図示せず）を摺動体６に装着して交換を行う。この時、区画部材８は、前述のように、弾性体９、１０により、区画部材８に設けた当接凸部８ｃと、後軸３内に設けた被当接凸部３ｂが当接するまで、後軸３の先端側への移動し、区画部材８の先端面８ａが後軸３の先端面３ｃよりも前方に位置するので、この区画部材８に筆記体を容易に合わせることができる。その後、筆記体を後軸３後端方向に押し込むことで、筆記体の後端部と摺動体６が嵌合して交換作業をすることができる。
【００２４】
尚、摺動体に筆記体を連接する構造は、圧入嵌合、乗り越し嵌合等、従来から知られている連接構造を用いることができる。また、区画部材の配設方法も、弾発部材により軸筒先端側に付勢し、後軸内に摺動可能に配設してあれば、特に限定されるものではない。
【００２５】
また、本実施例では、便宜上、区画部材が、貫通孔によって筆記体に対応して区画しているが、図示はしていないが、溝によって筆記体に対応して区画してあってもよい。また、摺動体を軸筒後端方向へ付勢する弾発部材を、区画部材を軸筒先端側に付勢する弾性体と共通することにより、部品点数を減少することができ好ましいが、個々に弾発部材と弾性体を配設してあってもよい。
【産業上の利用可能性】
【００２６】
本発明のスライド式の多芯筆記具は、筆記体の数、筆記体に収容するインキ色、インキの種類等に限定されるものでなく、ボールペン３本や４本など、スライド式の多芯筆記具として広く利用可能である。
【符号の説明】
【００２７】
１  スライド式の多芯筆記具
２  前軸
２ａ  先端開口部
２ｂ  後端面
３  後軸
３ａ  止め部
３ｂ  被当接凸部
３ｃ  先端面
４、５  摺動溝
６、７  摺動体
６ａ、７ａ  隆起部
７ｂ、７ｂ  係止部
７ｃ、７ｃ  解除突起
８  区画部材
８ａ、８ｂ  貫通孔
８ｃ  当接凸部
８ｄ  先端面
９、１０  弾発部材（弾性体）
１１、１３  筆記体
１２、１４  筆記先端部
【図１】
2011011511.tif 000003
【図２】
2011011511.tif 000004
【図３】
2011011511.tif 000005
【図４】
2011011511.tif 000006